(57)【要約】【課題】固定受刃の有効配置によって排稈の切断性能を高め、回転刃による藁の持ち回りを少なくし、詰まりなどのトラブルの発生を防止できる排稈切断装置を具現する。【解決手段】脱穀装置（９）の後部に、脱穀処理後の排稈を切断室（２１）内に受け入れて切断処理する切断装置（２６）を配備し、切断装置（２６）を、固定受刃（２３）と左右方向の回転軸芯（２４）周りに回転する回転刃（２５）とから構成し、固定受刃（２３）は、回転刃（２５）の回転軸心（２４）の略真下に配置し、回転軸心（２４）を中心とした円の半径方向に対する固定受刃（２３）の切断刃縁の逃がし角θを略４５°に設定する。切断室（２１）の後壁板（２７）の内面には、回転刃（２５）の回転軸心（２４）を通過する水平軸線（Ｘ）よりも僅か下方の位置に配置されて切断藁の持ち回りを阻止する分離体（２８）を設ける。【選択図】      図３
2014128208.tif 000002
【特許請求の範囲】
【請求項１】
脱穀装置（９）の後部に、脱穀処理後の排稈を切断室（２１）内に受け入れて切断処理する切断装置（２６）を配備し、該切断装置（２６）を、固定受刃（２３）と左右方向の回転軸芯（２４）周りに回転する回転刃（２５）とから構成し、前記固定受刃（２３）は、回転刃（２５）の回転軸心（２４）の略真下に配置し、該回転軸心（２４）を中心とした円の半径方向に対する固定受刃（２３）の切断刃縁の逃がし角θを略４５°に設定してある脱穀装置の排稈切断装置。
【請求項２】
前記切断室（２１）を構成する壁板のうちの後壁板（２７）の内面には、回転刃（２５）の回転軸心（２４）を通過する水平軸線（Ｘ）よりも僅か下方の位置に配置されて切断藁の持ち回りを阻止する分離体（２８）を設けてある請求項１記載の脱穀装置の排稈切断装置。
【請求項３】
前記切断室（２１）の後壁板（２７）の内面における前記分離体（２８）よりも上方の位置に、側面視くの字形状のガイド体（２９）を附設してある請求項２記載の脱穀装置の排稈切断装置。
【請求項４】
前記ガイド体（２９）は、分離体（２８）と一体化してある請求項３記載の脱穀装置の排稈切断装置。
【請求項５】
前記排稈切断装置（２６）への回転動力伝達手段は、脱穀入力軸（３４）からベルト伝動機構（３５）及びカウンタ軸（３６）を介して選別装置の各部に動力伝達する構成とし、前記カウンタ軸（３６）のカウンタプーリ（３７）の外側に設けられた駆動プーリ（３８）から伝動ベルト（４０）を介して回転刃軸（２４）に入力する構成とした請求項１から請求項４のいずれか一項記載の脱穀装置の排稈切断装置。
【発明の詳細な説明】
【技術分野】
【０００１】
この発明は、脱穀装置の排稈切断装置に関する。
【背景技術】
【０００２】
従来、汎用コンバインにおいて、脱穀装置の後部には、脱穀処理に伴って排稈口から後方に排出される排稈や揺動選別棚から後方に排出される藁屑などの排塵処理物を受け入れて切断処理する排稈切断装置が配備されている。
【０００３】
従来のこの種排稈切断装置は、例えば、特許文献１によっても開示されているように、左右方向に所定間隔をあけて配備した固定受刃と、該固定受刃に対応して左右横方向の回転軸心周りに回転する回転刃とからなる構成である。
【先行技術文献】
【特許文献】
【０００４】
【特許文献１】特開２０１２−６０９６８号公報
【発明の概要】
【発明が解決しようとする課題】
【０００５】
従来の固定受刃は、回転刃の回転軸心の真下にはなく、前側上方に位置しているために回転刃による十分な作用力が得られず、切断性能が劣る問題があった。
また、この切断装置では、回転刃による藁の持ち回りが多く、詰まりの発生要因となっていた。
【０００６】
本発明は、固定受刃の有効配置によって切断性能を高め、回転刃による藁の持ち回りを少なくし、詰まりなどのトラブルの発生を防止できる排稈切断装置を具現することを目的とする。
【課題を解決するための手段】
【０００７】
この発明は、上記課題を解決すべく次のような技術的手段を講じた。
すなわち、請求項１記載の発明は、脱穀装置（９）の後部に、脱穀処理後の排稈を切断室（２１）内に受け入れて切断処理する切断装置（２６）を配備し、該切断装置（２６）を、固定受刃（２３）と左右方向の回転軸芯（２４）周りに回転する回転刃（２５）とから構成し、前記固定受刃（２３）は、回転刃（２５）の回転軸心（２４）の略真下に配置し、該回転軸心（２４）を中心とした円の半径方向に対する固定受刃（２３）の切断刃縁の逃がし角θを略４５°に設定してある脱穀装置の排稈切断装置とする。
【０００８】
固定受刃（２３）上に落下してくる脱穀装置からの脱穀済み排稈は、回転軸心（２４）周りに回転する回転刃（２５）の作用によって確実に切断処理される。
固定受刃（２３）が回転刃（２５）の回転軸心（２４）の真下に位置しているため、回転刃が落下時の排稈を捕らえて固定受刃まで勢いよく持ち運びながら作用することになり、固定受刃に対する切断作用が良好に行え、切断性能が向上する。
【０００９】
請求項２記載の発明は、前記切断室（２１）を構成する壁板のうちの後壁板（２７）の内面には、回転刃（２５）の回転軸心（２４）を通過する水平軸線（Ｘ）よりも僅か下方の位置に配置されて切断藁の持ち回りを阻止する分離体（２８）を設けてある請求項１記載の脱穀装置の排稈切断装置とする。
【００１０】
上記構成によると、分離体（２８）の作用によって回転刃（２５）による切断藁の持ち回りが阻止される。
請求項３記載の発明は、前記切断室（２１）の後壁板（２７）の内面における前記分離体（２８）よりも上方の位置に、側面視くの字形状のガイド体（２９）を附設してある請求項２記載の脱穀装置の排稈切断装置とする。
【００１１】
上記構成によると、回転刃（２５）による切断藁の持ち回りが起きても、ガイド体（２９）の案内効果で切断藁の回転刃（２５）からの逃げを防ぐことができる。
請求項４記載の発明は、前記ガイド体（２９）は、分離体（２８）と一体化してある請求項３記載の脱穀装置の排稈切断装置とする。
【００１２】
上記構成によると、ガイド体（２９）を分離体（２８）と一体化することで、負荷のかかる分離体自体の強度を上げることができ、部品点数も削減することができる。
請求項５記載の発明は、前記排稈切断装置（２６）への回転動力伝達手段は、脱穀入力軸（３４）からベルト伝動機構（３５）及びカウンタ軸（３６）を介して選別装置の各部に動力伝達する構成とし、前記カウンタ軸（３６）のカウンタプーリ（３７）の外側に設けられた駆動プーリ（３８）から伝動ベルト（４０）を介して回転刃軸（２４）に入力する構成とした請求項１から請求項４のいずれか一項記載の脱穀装置の排稈切断装置とする。
【００１３】
上記構成によると、排稈切断装置（２６）への回転動力を比較的負荷の軽い選別装置への動力伝達手段から取り出すことができるので、排稈切断装置としての切断性能を高く維持することができる。また、この排稈切断装置（２６）の取り付けに際しては伝動ベルト（４０）を掛け渡すだけの簡単な手段で動力伝達ができ、装置の取付時間の短縮が可能となる。
【発明の効果】
【００１４】
請求項１記載の発明によれば、固定受刃（２３）が回転刃（２５）の回転軸心（２４）の真下に位置し、かつ、固定受刃（２３）の逃がし角が略４５°に設定されているので、固定受刃（２３）に対する排稈の切断作用が確実、良好に行え、切断性能が大幅に向上する。
【００１５】
請求項２記載の発明によれば、請求項１記載の発明の効果に加えて、切断室（２１）の後壁板（２７）の内面には、回転刃（２５）を通過する水平軸線（Ｘ）よりもやや下方の位置に分離体（２８）を設けることで、この分離体（２８）の作用により回転刃（２５）による切断藁の持ち回りを阻止でき、切断負荷の軽減を図ることができる。
【００１６】
請求項３記載の発明によれば、請求項２記載の発明の効果に加えて、切断室（２１）の後壁板（２７）の内面において、分離体（２８）よりも上方の位置に側面視くの字形状のガイド体（２９）を設けることで、回転刃（２５）による切断藁の持ち回りが起きても、ガイド体（２９）の案内効果で切断藁の回転刃（２５）からの反回転方向への逃げを防ぐことができ、切断室（２１）内での藁の詰まりを防止することができる。
【００１７】
請求項４記載の発明によれば、請求項３記載の発明の効果に加えて、分離体（２８）とガイド体（２９）が一体化されているので、特に負荷のかかる分離体（２８）自体の強度アップを図ることができ、部品点数も削減することができて安価に実施することができる。
【００１８】
請求項５記載の発明によれば、請求項１から請求項４のいずれか一項記載の効果に加えて、排稈切断装置（２６）への回転動力は比較的負荷の軽い選別装置への動力伝達用のカウンタ軸（３６）から取り出すので、排稈切断装置としての切断性能を高く維持することができ、また、排稈切断装置（２６）の取り付けに際しては伝動ベルト（４０）を掛け渡すだけの簡単な手段で動力伝達が可能となり、排稈切断装置の取付時間も短縮することができる。
【図面の簡単な説明】
【００１９】
【図１】汎用コンバインの側面図
【図２】汎用コンバインの平面図
【図３】排稈切断装置を備えた脱穀部の要部の側断面図
【図４】脱穀装置の要部の側面図
【図５】カウンタプーリ及び駆動プーリの断面図
【図６】唐箕プーリの断面図
【図７】扱胴要部の側面図
【図８】同上正面図
【図９】扱胴要部の側断面図
【図１０】扱胴要部の側断面図
【発明を実施するための形態】
【００２０】
この発明の実施例を図面に基づき説明する。
図１及び図２は、圃場に立毛する稲麦や菜種等の作物茎稈を自走しながら刈り取って収穫する汎用コンバインを示すものであり、下部に左右一対の走行クローラ２，２を備えた車体１の前側には、作物茎稈を後方に掻き込む掻込タイン３を備えた掻込リール４と、掻込後の茎稈を切断するバリカン式の刈刃装置５と刈取後の茎稈をテーブル６上に掻き込む掻込オーガ７等からなる刈取前処理部８を備えている。
【００２１】
刈取前処理部８の左側から後方にわたって装備されたフィーダハウス１０内には、刈取前処理部からの作物茎稈を受け継いで後方上方に揚上搬送して脱穀装置（脱穀部）９内に供給するフィードコンベア１１が装備されている。フィーダハウス１０の右側には、運転席や操作ボックス等からなる運転操作部を取り囲むように覆うキャビン１２が装備され、キャビン１２の後方には収穫物を一時的に貯留するグレンタンク１３が設置されている。
【００２２】
脱穀装置９は、上部に刈取前処理部からの刈取穀稈を受け入れて脱穀処理する脱穀部９Ａを備え、下部に脱穀処理後の処理物を受け入れて選別処理する選別部（選別装置）９Ｂを備えている。
【００２３】
上部の脱穀部９Ａは、扱室１４内に架設する前後向きの扱胴１５や扱胴の下方を受ける受網１６などからなる。
下部の選別部９Ｂは、脱穀処理物を受け入れて揺動篩い選別する揺動選別棚１７や風選別が可能な唐箕１８などからなる。
【００２４】
脱穀装置９の後部には、扱室１４終端の排稈口１９から排出される脱穀処理後の排稈類や、揺動選別棚１７終端の排塵口２０から排出される藁屑類を切断室２１内に受け入れて切断処理する複数の固定受刃２３と、左右横方向の回転軸２４芯周りに回転する回転刃２５とからなる排稈切断装置（排稈チョッパー）２６が配備されている。
【００２５】
固定受刃２３は、回転刃２４の回転軸心２４部に対応する部位の略真下に配置され、水平線に対して逃がし角θが略４５°の角度設定されている。
切断室２１の前側下部（排稈受入側）には、排稈口１９及び排塵口２０からの排稈類や藁屑類を受け入れて固定受刃２３側に向けて流し込む流し板２２が設けられている。
【００２６】
切断室２１の後壁板２７内面には、回転刃２５の水平軸線Ｘより僅か下方位置において切断藁の持ち回りを阻止する分離体２８が設けられている。また、この分離体２８の上方位置には側面視でく字形状のガイド体２９が附設され、回転刃により持ち回された切断藁の反回転方向への逃げを阻止するように構成されている。また、分離体２８とガイド体２９は一体化し、一部品として使用されるようになっている。
【００２７】
切断装置２６の下部後方には、水平軸線Ｘ部を始端部とし、これより後下がりに傾斜して切断藁を拡散案内する拡散ガイド板３０を有したガイドケース３１が設けられている。ガイドケース３１の後部には弾性材からなる弾性案内板３２が設置されている。
【００２８】
切断室２１底部の固定受刃２３を有した水平案内板３３の終端と拡散ガイド板３０の下部始端部との間の距離Ｌ１を、回転刃２５の回転半径Ｌ２よりも大きく（Ｌ１＞Ｌ２）設定することで、切断藁の詰まりを防止することができる。
【００２９】
排稈切断装置２６への回転動力伝達手段としては、図４に示すように、脱穀装置の前側に架設された脱穀入力軸３４からカウンタ軸３６及びベルト伝動機構３５を介して選別装置９Ｂの揺動選別棚１７への揺動プーリ４１、唐箕１８への唐箕プーリ４２、１番・２番穀粒搬送装置への１番プーリ４３ａ，２番プーリ４３ｂ等に動力伝達するよう連動構成してあり、カウンタ軸３６端部のカウンタプーリ３７の外側に架設された駆動プーリ３８と回転刃２５の回転軸２４に軸架された入力プーリ３９との間に伝動ベルト４０を掛け回すことによって回転刃に回転動力を伝達するよう連動構成している。
【００３０】
なお、前記駆動プーリ３８は、カウンタプーリ３７と一体化してもよいが、図５に示すように、カウンタプーリ３７に対して駆動プーリ３８をボルト４４等で取付可能に構成しておくと便利である。
【００３１】
図６に示すように、唐箕などの回転数を変更する手段として、唐箕プーリ４２を内側プーリ４２ａと外側プーリ４２ｂとに分離し、数種類の板厚の異なるシムＳ１，Ｓ２，Ｓ３をプーリの内側と外側に敷きかえることで、簡単な構成でもって唐箕の回転数を任意に変更することができる。内外のプーリはキー４５又はスプライン軸で摺動可能に連結する。
【００３２】
図７及び図８に示すように、扱胴１５の入口側始端側に設けたインペラ４６の補強部材４７を放射状に設置し、入口側の設置角度よりも出口側の設置角度が狭くなるように構成とすることで、出口側のインペラの変形を確実に防止することができる。
【００３３】
図９及び図１０に示す実施例は、扱胴軸１５ａへの藁屑の巻き付きを防止する巻き付き防止装置の構成例を示すもので、図９例は、扱胴１５始端側（前側）の構成例を示すものであるが、外側の巻付き防止体４８ａは固定側とし、内側の巻付き防止体４８ｂは扱胴と一体回転する回転側とし、固定側と回転側が互いにオーバーラップする構成としている。また、図１０例は、扱胴終端側後側の構成例を示すものであるが、この装置では、内側の巻付き防止体４８ｂを固定側とし、外側の巻付き防止体４８ａが回転側となるように構成している。
【符号の説明】
【００３４】
９    脱穀部（脱穀装置）
２１    切断室
２３    固定受刃
２４    回転軸
２５    回転刃
２６    排稈切断装置
２７    後壁板
２８    分離体
２９    ガイド体
３４    脱穀入力軸
３５    ベルト伝動機構
３６    カウンタ軸
３７    カウンタプーリ
３８    駆動プーリ
４０    伝動ベルト
【図１】
2014128208.tif 000003
【図２】
2014128208.tif 000004
【図３】
2014128208.tif 000005
【図４】
2014128208.tif 000006
【図５】
2014128208.tif 000007
【図６】
2014128208.tif 000008
【図７】
2014128208.tif 000009
【図８】
2014128208.tif 000010
【図９】
2014128208.tif 000011
【図１０】
2014128208.tif 000012